(57)【要約】【課題】室内に設置される吊り下げ装置において、使用時には容易に使用することができるとともに、不使用時には簡単に収容状態となって室内の見栄えを損なうことがないようにする。【解決手段】吊り下げ装置１は、室内の壁面に設けられた長押２の少なくとも一部を構成するハウジング３と、被吊り下げ物の吊り下げに供される吊り下げバー４を支持する支持アーム５とを備え、支持アームがハウジングに対して出没自在に設けられた構成とする。【選択図】図１
2010172514.tif 000002
【特許請求の範囲】
【請求項１】
室内に設置される吊り下げ装置であって、
前記室内の壁面に設けられる横木の少なくとも一部を構成するハウジングと、
被吊り下げ物の吊り下げに供される吊り下げ部材と
とを備え、
前記吊り下げ部材は、前記ハウジングに対して出没自在に設けられていることを特徴とする吊り下げ装置。
【請求項２】
前記吊り下げ部材は、オルタネイト式のラッチ機構を介して前記ハウジング内に取り付けられ、当該ラッチ機構のロック状態と解除状態との間の切替に応じて、前記ハウジングから出没することを特徴とする、請求項１に記載の吊り下げ装置。
【請求項３】
前記吊り下げ部材が取り付けられ、前記ハウジング内で移動自在に設けられた移動体を更に備えたことを特徴とする、請求項１または請求項２に記載の吊り下げ装置。
【請求項４】
前記ハウジング内に設けられ、前記移動体の移動をガイドするガイド部材を更に備えたことを特徴とする請求項３に記載の吊り下げ装置。
【請求項５】
前記ハウジングは、平面視において略Ｌ字状を呈することを特徴とする請求項１から請求項４のいずれかに記載の吊り下げ装置。
【発明の詳細な説明】
【技術分野】
【０００１】
本発明は、室内において衣服等の被吊り下げ物を吊り下げるための吊り下げ装置に関する。
【背景技術】
【０００２】
従来、衣服等を吊り下げるための吊り下げ棒と、当該吊り下げ棒の両端に回転軸を介して接続された固定具とを備え、当該両固定具をコ字型に形成することにより、部屋のコーナ部に位置する長押の上縁に着脱可能としたコーナーハンガーが知られている（特許文献１参照）。これによれば、ユーザは、部屋のコーナーにおける長押への固定具の取付位置を変更することにより、所望の角度で吊り下げ棒を配置することできるという利点がある。
【先行技術文献】
【特許文献】
【０００３】
【特許文献１】実開昭６１−１１１３８０号公報
【発明の概要】
【発明が解決しようとする課題】
【０００４】
しかしながら、上記特許文献１に記載された従来技術では、コーナーハンガーは、見栄え等の観点から不使用時には長押から取り外すことが望まれるが、その場合、ユーザは、その都度面倒な作業を強いられるという不都合があった。また、長押は室内の比較的高所に位置するため、ユーザによっては、コーナーハンガーの取付および取外や配置変更の作業に踏み台等が必要になる場合があった。
【０００５】
本発明は、このような従来技術の課題を鑑みて案出されたものであり、使用時には容易に使用可能であるとともに、不使用時には被吊り下げ物の吊り下げに供される吊り下げ部材を簡単に収容できて室内の見栄えを損なうことのない吊り下げ装置を提供することを目的とする。
【課題を解決するための手段】
【０００６】
上記課題を解決するためになされた第１の発明は、室内（Ｒ）に設置される吊り下げ装置（１）であって、前記室内の壁面に設けられる横木の少なくとも一部を構成するハウジング（３）と、被吊り下げ物（Ｈ）の吊り下げに供される吊り下げ部材（４，５）とを備え、前記吊り下げ部材は、前記ハウジングに対して出没自在に設けられている構成とする。
【０００７】
また、第２の発明として、前記吊り下げ部材は、オルタネイト式のラッチ機構（３０）を介して前記ハウジング内に取り付けられ、当該ラッチ機構のロック状態と解除状態との間の切替に応じて、前記ハウジングから出没する構成とすることができる。
【０００８】
また、第３の発明として、前記吊り下げ部材が取り付けられ、前記ハウジング内で移動自在に設けられた移動体（６）を更に備えた構成とすることができる。
【０００９】
また、第４の発明として、前記ハウジング内に設けられ、前記移動体の移動をガイドするガイド部材（２５）を更に備えた構成とすることができる。
【００１０】
また、第５の発明として、前記ハウジングは、平面視において略Ｌ字状を呈する構成とすることができる。
【発明の効果】
【００１１】
上記第１の発明によれば、吊り下げ部材の少なくとも一部をハウジング内に出没自在に設けたため、使用時には容易に使用可能であるとともに、不使用時には吊り下げ部材を簡単に収容できて室内の見栄えを損なうことがないという優れた効果を奏する。また、上記第２の発明によれば、ラッチ機構の簡易な操作により装置の使用状態と不使用状態とを切り替えることが可能となる。また、上記第３の発明によれば、ハウジング内で移動体を移動させることにより、吊り下げ部材の位置を容易に変更可能となる。また、上記第４の発明によれば、ハウジングのサイズ（すなわち、横木のサイズ）や形状に関わらず、ハウジング内における移動体の移動を適切に実現することができる。また、上記第５の発明によれば、室内のコーナ部において吊り下げ部材の位置を容易に変更することが可能となる。
【図面の簡単な説明】
【００１２】
【図１】実施形態に係る吊り下げ装置が設置された室内の要部斜視図
【図２】実施形態に係る移動体を示す斜視図
【図３】実施形態に係る不使用状態における移動体の縦断面図
【図４】実施形態に係る使用状態における移動体の断面図
【図５】実施形態に係る不使用状態おける移動体の断面図
【図６】実施形態に係る不使用状態おける吊り下げ装置の斜視図
【図７】実施形態に係る使用開始直後の状態おける吊り下げ装置の斜視図
【図８】実施形態に係る吊り下げバーの位置変更の例を示す平面図
【図９】実施形態に係る吊り下げ装置のハウジングの変形例を示す部分分解図
【発明を実施するための形態】
【００１３】
以下、本発明の実施の形態について図１から図９を参照しながら説明する。以下では、特に断り書きのない限り、方向を示す用語「上」，「下」は、図１に示す室内Ｒの上下（鉛直）方向を基準に定めるものとする。
【００１４】
図１に示すように、吊り下げ装置１は、室内Ｒのコーナ部に設置され、２つの側壁Ｗａ，Ｗｂに跨るようにして水平方向に延設された長押（横木）２の一部を構成する。吊り下げ装置１は、コーナ部の形状に適合させた略Ｌ字状のハウジング３と、衣類等の被吊り下げ物（ここでは、ハンガーＨ）の吊り下げに供される吊り下げ部材としての吊り下げバー４およびその両端を支持する支持アーム５と、ハウジング３内でそれぞれ移動自在に設けられるとともに、両支持アーム５の上端側がそれぞれ接続された２つの移動体６とを備えている。
【００１５】
ハウジング３は、側壁Ｗａ，Ｗｂに対してボルト等の固定具（図示せず）によりそれぞれ固定された２つの直状部３ａ，３ｂから構成される。各直状部３ａ，３ｂは、図５に示すように、底部が開放された略コ字状の横断面を有ている。吊り下げ装置１が不使用状態にある場合には、ハウジング３内には、吊り下げバー４、支持アーム５および移動体６等が収容される一方、吊り下げ装置１が使用状態にある場合には、吊り下げバー４および支持アーム５がハウジング３の底部から室内Ｒに進出する。
【００１６】
なお、図１では、説明の便宜上、長押２におけるハウジング３の区別が容易なように、ハウジング３とその両側に連なる長押２の構成部材との間に境界線を表示してある。しかしながら、長押２の表面全域に化粧板等を貼付することにより、ハウジング３との境界が区別されることなく一体的な外観を得ることが可能である。また、本実施形態において、ハウジング３は長押２の一部を構成するが、これに限らず、長押２全体を構成する態様も可能である。
【００１７】
吊り下げバー４は、略円筒状を呈する部材からなり、図３，図４に示すように、その両端は支持アーム５に支持されている。支持アーム５は、吊り下げバー４の両端の開口に嵌入される嵌入部１１ａを有するバー取付部材１１と、上下方向に延びるアーム軸１２とを備える。アーム軸１２の下端部は、ナット１３およびワッシャ１４によってバー取付部材１１に取り付けられている。ナット１３は、バー取付部材１１の収容部１１ｂ内に摺動可能に設置されており、これにより、バー取付部材１１（すなわち、吊り下げバー４の両端）は、アーム軸１２に対して回動自在となっている。
【００１８】
両移動体６は、ハウジング３の直状部３ａ，３ｂ内をそれぞれ移動し、図２に示すように、その移動に供される上側車輪２１および下側車輪２２が設けられている。ハウジング３内には、図５に示すように、移動体６の移動をガイドするレール部材（ガイド部材）２５が設けられている。レール部材２５は、横断面においてアーム軸１２が通る底部の開口を除いて移動体６の周囲を概ね覆っている。移動体６がハウジング３内を移動する際には、上側車輪２１は、レール部材２５の上壁下面２５ａに当接した状態で各車輪軸Ｓ周りに回転し、下側車輪２２は、レール部材２５の底壁上面２５ｂに接した状態で各車輪軸Ｓ周りに回転する。
【００１９】
また、図２に示すように、移動体６の一端側には、支持アーム５との接続に供されるオルタネイト式のラッチ装置３０が収容されるラッチ収容部３１が設けられている。ラッチ装置３０は、その下側に支持アーム５の上端部が接続されたストライカ３２と、移動体６に固定され、ストライカ３２と係合するラッチ３３とを備える。ストライカ３２の上部には係止突起４１が設けられている。係止突起４１は、ラッチ３３の下部に設けられた一対の係止爪４２により挟持固定され、これによりストライカ３２がロックされる。また、ストライカ３２の側部にはガイド片４３が突設されている。ガイド片４３は、ラッチ収容部３１に設けられた上下方向に延びるスリット４４内に挿入された状態にあり、そのスリット４４内における移動により、ストライカ３２の上下移動をガイドする。
【００２０】
上記構成の吊り下げ装置１において、ユーザは、装置を使用しない場合には、図６に示すように、吊り下げバー４および支持アーム５を上方に押し上げてハウジング３内に収容することで、吊り下げ装置１を不使用状態とすることができる。このとき、図３に示すように、ストライカ３２はラッチ３３にロックされた状態となり、これにより、ストライカ３２に接続されたアーム軸１２は上方の退避位置に保持される。
【００２１】
また、ユーザは、装置の使用を開始する場合には、図７に示すように、吊り下げバー４および支持アーム５をハウジング３から下方に進出させることで、吊り下げ装置１を使用状態とすることができる。このとき、ユーザは、図３に示した状態において、吊り下げバー４または支持アーム５を再度上方に押し上げることで、ストライカ３２に対するラッチ３３のロックを解除することができる。これにより、図４に示すように、アーム軸１２はストライカ３２とともに作動位置まで下降する。
【００２２】
その後、ユーザは、吊り下げバー４または支持アーム５を把持して、２台の移動体６を所望の位置に移動させることができる。これにより、ユーザは、図８に示すように、室内Ｒのコーナ部における移動体６が移動可能な範囲において、吊り下げバー４の両端をハウジング３に沿って移動させることにより、配置（平面視における角度）を自由に変更することが可能である。この場合、長さの異なる吊り下げバーを複数準備するか、あるいは吊り下げバーを伸縮自在な構成とする（例えば、多段の円筒部材から構成する）ことで、吊り下げバー４の配置の自由度が高まる。
【００２３】
上記吊り下げ装置１では、吊り下げバー４および支持アーム５をハウジング３ングに対して出没自在に設けた構成としたため、ユーザは、使用時には吊り下げバー４および支持アーム５を室内Ｒに進出させて容易に使用することができるとともに、不使用時には吊り下げバー４および支持アーム５をハウジング３内に収容して室内の見栄えを損なうことがないという利点がある。
【００２４】
なお、吊り下げバー４は、必ずしもハウジング３に収容される必要はなく、支持アーム５のみをハウジング３に対して出没自在に設けた構成も可能である。その場合、使用時には、ユーザは、支持アーム５を室内Ｒに進出させた後に、支持アーム５に対して吊り下げバー４を取り付けることが可能である。また、本実施形態では、吊り下げバー４および支持アーム５がハウジング３に完全に収容される構成としたが、それらの一部がハウジング３に収容される構成も可能である。
【００２５】
また、ハウジング３の形状は、上述の略Ｌ字状に限らず室内の横木の配置に応じて種々の変更が可能である。例えば、図９に示すように、ハウジング３を１つの直状部から構成してもよい。図９の吊り下げ装置１において、両移動体６は、ともにハウジング３内を移動自在に設けられている。この場合、室内Ｒのコーナ部に限らず、長押２に沿って吊り下げバー４の位置を自由に変更することが可能となるという利点がある。
【００２６】
また、ハウジング３に移動体６の移動をガイドするレール部材２５を設けたため、移動体６の移動経路がハウジング３のサイズや形状から受ける影響を排除しやすくなるため、ハウジング３のサイズや形状に関わらず、ハウジング３内における移動体６の適切な移動が実現されるという利点もある。
【００２７】
また、上記吊り下げ装置１では、オルタネイト式のラッチ装置３０を介して支持アーム５をハウジング３内に取り付けるとともに、吊り下げバー４および支持アームをハウジング３の底部から出没させる構成としたため、ユーザは、使用を開始する際に、吊り下げバー４または支持アーム５に対する簡易なプッシュ操作を行うだけで、自重で吊り下げバー４および支持アーム５を下降させることができるという利点がある。
【００２８】
本発明を特定の実施形態に基づいて詳細に説明したが、上記実施形態はあくまでも例示であって本発明はこれらの実施形態によって限定されるものではない。例えば、本発明に係る吊り下げ装置は、長押に限らず、鴨居等を含む種々の横木に適用することが可能であり、その横木のサイズや材質等にも特別な制約はない。また、本発明に係る吊り下げ装置が設置される室内は、少なくとも横木を設置可能な少なくとも１つの壁が存在すればよく、必ずしも閉じられた空間に限定されない。また、被吊り下げ物の吊り下げに供される吊り下げ部材としては、吊り下げバーに限らず、板状や紐状を含め種々の形状の部材を用いることが可能である。
【符号の説明】
【００２９】
１  吊り下げ装置
２  長押
３  ハウジング
４  吊り下げバー
５  支持アーム
６  移動体
１１  バー取付部材
１２    アーム軸
２１    上側車輪
２２    下側車輪
２５    レール部材
３０    ラッチ装置
３２    ストライカ
３３    ラッチ
４１    係止突起
４３    ガイド片
Ｒ  室内
【図１】
2010172514.tif 000003
【図２】
2010172514.tif 000004
【図３】
2010172514.tif 000005
【図４】
2010172514.tif 000006
【図５】
2010172514.tif 000007
【図６】
2010172514.tif 000008
【図７】
2010172514.tif 000009
【図８】
2010172514.tif 000010
【図９】
2010172514.tif 000011